(57)【特許請求の範囲】
【請求項１】
施錠回転位置でタンブラがシリンダケースに係止されて該シリンダケースに対するシリンダプラグの相対回転を禁止され、真正な解錠コードを有する解錠キーを挿入することにより前記タンブラをシリンダケースとの係止位置から退避させてシリンダプラグの回転操作を可能にするシリンダ錠と、
該シリンダ錠のシリンダプラグに対する施錠回転位置と解錠回転位置との間での回転操作により駆動されて施錠位置と解錠位置との間を移動する施錠体と、
施錠位置にある施錠体をロックして該施錠体の解錠位置側への移動を禁止する施錠体ロック手段とを有し、
前記施錠体は、シリンダプラグの回転操作に伴って回転するデッドドライブカムにより駆動され、
前記施錠体ロック手段は、デッドドライブカムに形成されるギア部に噛合するラック部を備えて並進移動自在に形成されるロックスライダと、
該ロックスライダに形成される係止段部に当接して施錠体を解錠位置に移動させるロックスライダの移動を規制する突き当て部を備えたロックカムとを有し、
該ロックカムは、揺動自在に形成され、タンブラをシリンダケースとの係止位置から退避させてシリンダプラグが施錠回転位置からさらに施錠回転位置側に回転駆動されることによりロックスライダによる支えを失って突き当て部を係止段部側に変位させた傾き姿勢から直立姿勢に移行し、この後にタンブラがシリンダケースに係止する施錠回転位置を越えてシリンダプラグを解錠回転位置まで回転操作したときのロックスライダの移動を許容するとともに、施錠体が解錠位置をとるときにはロックスライダに形成される凹部に収容されて直立姿勢に復帰し、以後に施錠体を施錠位置側に移動させたときに前記傾き姿勢に復帰する錠装置。
【請求項２】
施錠回転位置でタンブラがシリンダケースに係止されて該シリンダケースに対するシリンダプラグの相対回転を禁止され、真正な解錠コードを有する解錠キーを挿入することにより前記タンブラをシリンダケースとの係止位置から退避させてシリンダプラグの回転操作を可能にするシリンダ錠と、
該シリンダ錠のシリンダプラグに対する施錠回転位置と解錠回転位置との間での回転操作により駆動されて施錠位置と解錠位置との間を移動する施錠体と、
施錠位置にある施錠体をロックして該施錠体の解錠位置側への移動を禁止する施錠体ロック手段とを有し、
前記施錠体は、シリンダプラグの回転操作に伴って回転するデッドドライブカムにより駆動され、
前記施錠体ロック手段は、デッドドライブカムに形成されるギア部に噛合するラック部を備えて並進移動自在に形成されるロックスライダと、
該ロックスライダに形成されるスプリングガイド溝に挿入されて施錠体を解錠位置に移動させるロックスライダの移動を規制するチェック部を備えたチェックスプリングとを有し、
前記スプリングガイド溝は、上下端において前方に開放されるとともに、中間部においてＶ字状に屈曲されて形成され、
前記チェックスプリングは、前記タンブラをシリンダケースとの係止位置から退避させてシリンダプラグが施錠回転位置から一旦解錠回転位置側に所定長回転駆動された後、反転して前記タンブラをシリンダケースに係止可能な施錠回転位置に復帰されることによりチェック部がスプリングガイド溝内を下方屈曲部から中央屈曲部を経て上方屈曲部に移動し、この後、タンブラがシリンダケースに係止可能な施錠回転位置からシリンダプラグを解錠回転位置まで回転操作されることによりチェック部が上端側開口からスプリングガイド溝外に離脱して施錠体を解錠位置に移動させるロックスライダの移動を許容する錠装置。
【発明の詳細な説明】
【０００１】
【発明の属する技術分野】
本発明は、錠装置に関するものである。
【０００２】
【従来の技術】
一般に錠装置は、シリンダ錠を真正な解錠コードを有する解錠キーを使用して操作し、例えばデッドボルト等の施錠体を施錠位置から解錠位置に駆動するように構成される。
【０００３】
シリンダ錠は、施錠回転位置でタンブラがシリンダケースに係止されて該シリンダケースに対する相対回転が禁止されるシリンダプラグを有しており、真正な解錠コードを有する解錠キーが挿入されると、上記タンブラがシリンダケースとの係止位置から退避し、回転操作が可能となる。
【０００４】
ところで、近時、シリンダ錠を特殊の工具を使用して不正解錠操作する、いわゆるピッキング被害が問題となっており、このピッキングによる耐性を向上させることが求められている。
【０００５】
このピッキング操作は、シリンダ錠内のシリンダプラグに回転力を付与しながら上記タンブラを係止解除位置まで移動させて行われるもので、従来の錠装置においては、施錠回転位置にある状態において、ピッキング操作を行ってタンブラを係止解除位置まで操作してしまえば、シリンダプラグを解錠回転位置まで一気に回転させ、施錠体を解錠状態に移行させることができるために、ピッキングによる不正解錠操作が比較的しやすいという問題がある。
【０００６】
【発明が解決しようとする課題】
本発明は、以上の欠点を解消すべくなされたものであって、ピッキングによる不正解錠操作のしにくい錠装置の提供を目的とする。
【０００７】
【課題を解決するための手段】
本発明によれば上記目的は、
施錠回転位置でタンブラがシリンダケースに係止されて該シリンダケースに対するシリンダプラグ１の相対回転を禁止され、真正な解錠コードを有する解錠キーを挿入することにより前記タンブラをシリンダケースとの係止位置から退避させてシリンダプラグ１の回転操作を可能にするシリンダ錠と、
該シリンダ錠のシリンダプラグ１に対する施錠回転位置と解錠回転位置との間での回転操作により駆動されて施錠位置と解錠位置との間を移動する施錠体２と、
施錠位置にある施錠体２をロックして該施錠体２の解錠位置側への移動を禁止する施錠体ロック手段３とを有し、
前記施錠体２は、シリンダプラグ１の回転操作に伴って回転するデッドドライブカム６により駆動され、
前記施錠体ロック手段３は、デッドドライブカム６に形成されるギア部６ａに噛合するラック部９ａを備えて並進移動自在に形成されるロックスライダ９と、
該ロックスライダ９に形成される係止段部９ｂに当接して施錠体２を解錠位置に移動させるロックスライダ９の移動を規制する突き当て部１０ａを備えたロックカム１０とを有し、
該ロックカム１０は、揺動自在に形成され、タンブラをシリンダケースとの係止位置から退避させてシリンダプラグ１が施錠回転位置からさらに施錠回転位置側に回転駆動されることによりロックスライダ９による支えを失って突き当て部１０ａを係止段部９ｂ側に変位させた傾き姿勢から直立姿勢に移行し、この後にタンブラがシリンダケースに係止する施錠回転位置を越えてシリンダプラグ１を解錠回転位置まで回転操作したときのロックスライダ９の移動を許容するとともに、施錠体２が解錠位置をとるときにはロックスライダ９に形成される凹部９ｃに収容されて直立姿勢に復帰し、以後に施錠体２を施錠位置側に移動させたときに前記傾き姿勢に復帰する錠装置を提供することにより達成される。
また、
施錠回転位置でタンブラがシリンダケースに係止されて該シリンダケースに対するシリンダプラグ１の相対回転を禁止され、真正な解錠コードを有する解錠キーを挿入することにより前記タンブラをシリンダケースとの係止位置から退避させてシリンダプラグ１の回転操作を可能にするシリンダ錠と、
該シリンダ錠のシリンダプラグ１に対する施錠回転位置と解錠回転位置との間での回転操作により駆動されて施錠位置と解錠位置との間を移動する施錠体２と、
施錠位置にある施錠体２をロックして該施錠体の解錠位置側への移動を禁止する施錠体ロック手段３とを有し、
前記施錠体２は、シリンダプラグ１の回転操作に伴って回転するデッドドライブカム６により駆動され、
前記施錠体ロック手段３は、デッドドライブカム６に形成されるギア部６ａに噛合するラック部９ａを備えて並進移動自在に形成されるロックスライダ９と、
該ロックスライダ９に形成されるスプリングガイド溝９ｅに挿入されて施錠体２を解錠位置に移動させるロックスライダ９の移動を規制するチェック部１５ｃを備えたチェックスプリング１５とを有し、
前記スプリングガイド溝９ｅは、上下端において前方に開放されるとともに、中間部においてＶ字状に屈曲されて形成され、
前記チェックスプリング１５は、前記タンブラをシリンダケースとの係止位置から退避させてシリンダプラグ１が施錠回転位置から一旦解錠回転位置側に所定長回転駆動された後、反転して前記タンブラをシリンダケースに係止可能な施錠回転位置に復帰されることによりチェック部１５ｃがスプリングガイド溝９ｅ内を下方屈曲部から中央屈曲部を経て上方屈曲部に移動し、この後、タンブラがシリンダケースに係止可能な施錠回転位置からシリンダプラグ１を解錠回転位置まで回転操作されることによりチェック部１５ｃが上端側開口からスプリングガイド溝９ｅ外に離脱して施錠体２を解錠位置に移動させるロックスライダ９の移動を許容する錠装置を提供することにより達成される。
【０００８】
錠装置は施錠状態において施錠体ロック手段３によりロックされており、解錠するためには、まず、シリンダ錠を所定の手順で操作することにより施錠体ロック手段３のロックを解除し、さらに、シリンダ錠に対する通常の解錠操作を行う必要がある。
【０００９】
したがって本発明において、通常行われるシリンダプラグ１への解錠回転位置側への回転操作のみで解錠状態に移行しないために防犯性能が向上する。
【００１０】
また、施錠体ロック手段３のアンロック操作は、シリンダプラグ１への操作により行われるために、利用者は補助錠を設置する場合等に比して、手間がかからない。
【００１１】
さらに、施錠体ロック手段３のアンロックは、シリンダプラグ１の施錠回転位置からの離脱と、離脱後の施錠回転位置への復帰が条件となり、シリンダプラグ１には、離脱、復帰、通常の解錠操作が与えられる。この結果、真正な解錠キーを持たないで錠装置を不正解錠するために、離脱、および復帰後の解錠操作の双方においていわゆるピッキングを行う必要が生じるために、不正解錠操作がしにくくなる。
【００１２】
一般にピッキングは、一旦成功すると同一回転方向へのピッキングは学習効果により比較的簡単になるのに対し、学習効果は逆・反対の回転方向に対しては有効でないために、初期離脱回転操作の回転方向が、施錠回転位置側への回転方向に一致させておくと、よりピッキング操作がしにくくなる。
【００１３】
【発明の実施の形態】
図１に本発明の実施の形態を示す。この実施の形態において、錠装置は、ドア体内に固定されて使用される箱錠として構成され、ドア体の屋外側表面に固定されるシリンダ錠と、屋内側に固定されるサムターン装置により施解錠操作することができる。また、箱錠には、リトラクタ４に軸が挿入される図外のドアハンドルにより錠ケース５からの進退駆動が行われるラッチボルトが設けられる。
【００１４】
シリンダ錠は、ドア体に固定されるシリンダケースと、シリンダケース内に回転自在に挿入されるシリンダプラグ１を有し、シリンダプラグ１は、真正な解錠コードを有する解錠キーによって施錠回転位置、および解錠回転位置の間を回転させることができる。
【００１５】
以上のように構成されるシリンダ錠のシリンダプラグ１への回転操作に伴ってデッドボルト（施錠体２）を錠ケース５から進退させるために、錠装置は、外周にギア部６ａが形成されたデッドドライブカム６を有する。
【００１６】
デッドドライブカム６の中心部にはカム孔６ｂが貫通状に形成され、該カム孔６ｂに上記シリンダ錠のシリンダプラグ１の終端が挿入される。
【００１７】
また、デッドドライブカム６には、作動アーム６ｃが形成され、ガイド７によってガイドされて進退方向が規制されたデッドボルト２の係止凹部２ａに挿入される。図１に示すように、デッドボルト２が錠ケース５から飛び出した施錠位置にあるときには、デッドドライブカム６の作動アーム６ｃはデッドボルト２の係止凹部２ａの一方の開放端に形成された施錠用ストッパ面２ｂに突き当たり、デッドボルト２の錠箱内への退避を規制する。この状態から、シリンダ錠のシリンダプラグ１を解錠回転位置側に回転させると、デッドドライブカム６の作動アーム６ｃは図１において反時計回りに回転しながら係止凹部２ａの他方の開放端に形成された解錠用ストッパ面２ｃの下部を押しデッドボルト２を解錠位置に移動させ、以後、作動アーム６ｃが解錠用ストッパ面２ｃに突き当たり、デッドボルト２の施錠位置側への移動を規制する。なお、図１において８はデッドボルト２を施錠位置と解錠位置のいずれかに静止させるためのクリックスプリングを示す。
【００１８】
上記デッドドライブカム６への回転操作を規制するために、錠装置は、施錠体ロック手段３を備える。施錠体ロック手段３は、デッドドライブカム６のギア部６ａに噛合するラック部９ａを備え、錠ケース５に並進移動自在に装着されるロックスライダ９と、ロックスライダ９の移動を規制するロックカム１０とを有して構成される。
【００１９】
ロックスライダ９の一端には係止段部９ｂが形成されるとともに、中間部には凹部９ｃが設けられ、また、ロックスライダ９には、該ロックスライダ９の移動方向に進退自在で、圧縮スプリング１１により飛び出し方向に付勢されるチェックピン１２が装着される。
【００２０】
一方、ロックカム１０は、先端に突き当て部１０ａを有する縦長のピース状部材であり、ロックスライダ９の一端部近傍に揺動自在に保持される。このロックカム１０の重心位置は、図２（ｂ）に示すように、揺動中心１０ｂから鉛直下方に設定されており、無拘束状態で突き当て部１０ａが鉛直上方を向く垂下姿勢を取る。
【００２１】
図１に示すように、デッドボルト２が施錠位置にある際には、上記ロックカム１０は突き当て部１０ａが係止段部９ｂ側に変位した傾き姿勢を取る。この状態で、ロックカム１０には自重により図１において反時計回りの回転力が発生しており、かつ、突き当て部１０ａの先端がロックスライダ９に当接しているために、当該姿勢を維持する。
【００２２】
この後、図２（ａ）に示すように、デッドボルト２を解錠位置に移行させるために、シリンダプラグ１を解錠回転位置側に回転駆動すると、デッドドライブカム６の回転に伴ってロックスライダ９はロックカム１０側に移動し、係止段部９ｂがロックカム１０の突き当て部１０ａに当接する。この状態において、ロックスライダ９はロックカム１０側への移動が禁止されることから、シリンダプラグ１をさらに回転操作してデッドボルト２を解錠位置に移動させること、すなわち解錠操作を行うことができない。
【００２３】
一方、上述した施錠状態から図２（ｂ）に示すように、一旦シリンダプラグ１を施錠回転位置側に回転駆動すると、施錠回転位置直前でシリンダプラグ１がデッドドライブカム１０のカム孔６ｂに当接した後、錠ケース５の内壁によりチェックピン１２に組付けた圧縮スプリング１１を圧縮して施錠回転位置においてロックスライダ９がわずかにロックカム１０から離隔する方向に移動する。ロックスライダ９の移動により、支えを失ったロックカム１０は自重により直立姿勢に復帰し、この後、シリンダプラグ１を解錠回転位置側に回転駆動すると、図３（ａ）に示すように、ロックカム１０の突き当て部１０ａはロックスライダ９により押され、当該方向へのロックカム１０の回転は許容されるために、該ロックカム１０は図３（ａ）において反時計回りに回転する。この後、図３（ｂ）に示すように、デッドボルト２が解錠位置に達すると、ロックカム１０は突き当て部１０ａがロックスライダ９の凹部９ｃに収容され自重により鉛直姿勢を取る。
【００２４】
この状態においてロックカム１０は施錠方向にも回転可能であるために、施錠操作を行うと、図２（ａ）に示す状態に復帰する。
【００２５】
したがってこの実施の形態において、シリンダ錠を操作してデッドボルト２を解錠位置に移動させるためには、シリンダプラグ１を一旦施錠回転位置側に回転させた後、再びキー抜差し位置まで戻し、再度解錠回転位置まで回転駆動する必要がある。
【００２６】
図４に本発明の他の実施の形態を示す。なお、本実施の形態の説明において、上述した実施の形態と実質的に同一の構成要素は、図中に同一符号を付して説明を省略する。
【００２７】
この実施の形態において、デッドボルト２はトーションスプリング１３ａによりロック方向に付勢されるロックキングバー１３により施錠位置に保持される。また、シリンダプラグ１が連結されるデッドドライブカム６には、圧縮スプリング１４ａにより上方に付勢され、先端部が連結片に挿入される解除部材１４が連結される。デッドドライブカム６を図４において反時計回りに回転させると、解除部材１４の先端によりロッキングバー１３が押し付けられてデッドボルト２との係止が解除され、この後、デッドドライブカム６の作動アーム６ｃによりデッドボルト２は解錠位置までドライブされる。
【００２８】
この実施の形態における施錠体ロック手段３は、図４に示すように、ロックスライダ９と、チェックスプリング１５とを有する。ロックスライダ９は、デッドドライブカム６に形成されたギア部６ａに噛合するラック部９ａを備え、デッドボルト２進退方向に移動自在に装着される。
【００２９】
また、ロックスライダ９は、図５（ａ）に示すように、上方に膨隆するスプリングガイド部９ｄを有し、該スプリングガイド部９ｄの側壁にスプリングガイド溝９ｅが設けられる。スプリングガイド溝９ｅは、上下端において前方に開放されるとともに、中間部においてＶ字状に屈曲される。説明の便宜上、スプリングガイド溝９ｅの屈曲部を下側から、下方屈曲部９ｆ、中央屈曲部９ｇ、上方屈曲部９ｈと呼ぶ。また、スプリングガイド溝９ｅは、下方から上方に向けて移動が容易なように形成される。
【００３０】
一方、チェックスプリング１５は、図５（ｂ）、（ｃ）に示すように、コイル部１５ａの一端から直杆部１５ｂを延設し、直杆部１５ｂの先端をコイル部１５ａの中心軸方向に折曲してチェック部１５ｃとしたもので、コイルホルダ１６にコイル部１５ａが保持されて所定位置に移動不能に固定される。
【００３１】
図４に示す施錠状態において、チェックスプリング１５のチェック部１５ｃは下方屈曲部９ｆに位置している。この状態からシリンダプラグ１を解錠回転位置側に回転させると、図６（ａ）に示すように、デッドドライブカム６が反時計回りに回転し、ロックスライダ９は左側に移動する。このとき、チェックスプリング１５のチェック部１５ｃは、中央屈曲部９ｇ側に移動し、該中央屈曲部９ｇは右側に閉じているために、ロックスライダ９はさらに移動することができないために、デッドドライブカム６を回転駆動することができない。
【００３２】
これに対し、図６（ｂ）に示すように、上記ロック状態から操作力を解除すると、デッドドライブカム６に作用する施錠回転位置側への復元力により、デッドドライブカム６は再び施錠回転位置に復帰し、ロックスライダ９も初期位置に復帰する。このとき、チェックスプリング１５のチェック部１５ｃは中央屈曲部９ｇから上方屈曲部９ｈに移動し、この状態で、再びシリンダプラグ１に解錠回転位置側の操作力を加えると、図７（ａ）に示すように、チェックスプリング１５のチェック部１５ｃは上端側開口から離脱するために、図７（ｂ）に示すように、デッドドライブカム６を解錠回転位置までドライブすることができる。
【００３３】
この解錠状態で再びデッドドライブカム６を施錠回転位置まで回転させると、ロックスライダ９が左方向に移動し、チェックスプリング１５は初期位置に復帰する。
【００３４】
したがってこの実施の形態において、シリンダ錠を操作してデッドボルト２を解錠位置に移動させるためには、シリンダプラグ１を一旦解錠回転位置側に適宜角度回転させた後、再びキー抜き差し位置まで戻し、再度解錠回転位置まで回転駆動する必要がある。
【００３５】
【発明の効果】
以上の説明から明らかなように、本発明によれば、ピッキングによる不正解錠操作をしにくくして、防犯性能を高めることができる。
【図面の簡単な説明】
【図１】本発明を示す図である。
【図２】図１の動作を示す図である。
【図３】図２に続く動作を示す図である。
【図４】本発明の他の実施の形態を示す図である。
【図５】ロックスライダとチェックスプリングを示す図である。
【図６】図４の動作を示す図である。
【図７】図６に続く動作を示す図である。
【符号の説明】
１        シリンダプラグ
２        施錠体
３        施錠体ロック手段
【図１】
0004291981.tif 000002
【図２】
0004291981.tif 000003
【図３】
0004291981.tif 000004
【図４】
0004291981.tif 000005
【図５】
0004291981.tif 000006
【図６】
0004291981.tif 000007
【図７】
0004291981.tif 000008